【手続補正書】
【提出日】平成19年4月3日(2007.4.3)
【手続補正１】
【補正対象書類名】明細書
【補正対象項目名】特許請求の範囲
【補正方法】変更
【補正の内容】
【特許請求の範囲】
【請求項１】  ホストから受信される記録データに基いて、交換可能なインクタンクから供給されるインクを記録ヘッドから吐出して記録媒体に記録を行なう記録装置であって、
インクの消費量情報を格納する記憶手段と、
前記インクの消費を計数する計数手段と、
前記計数手段によって計数されたインク消費量によって前記記憶手段に格納されたインクの消費量情報を更新する更新手段と、
前記インクタンクの交換が発生したことを判別する判別手段と、
前記判別手段による判別時点におけるインクの消費量情報を第１の消費量情報として前記記憶手段に格納するよう制御する記憶制御手段と、
前記判別手段による判別結果を前記ホストに通知する通知手段と、
前記通知手段による通知の結果として、前記ホストから前記インクタンクの交換により新たに交換されたインクタンクに格納されるインク量の情報を受信する受信手段と、
前記受信手段による受信時点における前記更新手段によって更新されたインク消費量情報と、前記記憶手段に格納された前記第１の消費量情報と、前記受信手段によって受信されたインク量の情報とに基いて、前記更新手段によって得られているインク消費量情報を変更する変更手段とを有することを特徴とする記録装置。
【請求項２】  前記判別手段は、
前記インクタンクが交換可能な位置に移動した後の経過時間を測定する測定手段と、
前記測定手段によって測定された経過時間と所定の閾値とを比較する比較手段とを有し、
前記比較手段による比較結果に基いて前記インクタンクの交換が発生したことを判別することを特徴とする請求項１に記載の記録装置。
【請求項３】  前記閾値は変更可能であることを特徴とする請求項２に記載の記録装置。
【請求項４】  前記判別手段は、
前記インクタンクの脱着を検出するセンサを有し、
前記センサ出力に基いて、前記インクタンクの交換が発生したことを判別することを特徴とする請求項１に記載の記録装置。
【請求項５】  前記ホストは、
前記通知手段によって通知された判別結果に基いて、インクタンクの交換を確認するメッセージを表示画面に表示する表示手段と、
ユーザから前記インクタンクの交換の確認を受け付ける受付手段と、
前記インクタンクの交換の確認の受付に基いて、新たに交換されたインクタンクに格納されるインク量の情報を前記記録装置に送信する送信手段とを有することを特徴とする請求項１に記載の記録装置。
【請求項６】  前記受付手段により前記インクタンクの交換がないことの確認が受付けられ、前記受信手段を介して前記インクタンクの交換がないことが確認された場合には、前記変更手段によるインク消費量情報の変更を抑止する抑止手段をさらに有することを特徴とする請求項５に記載の記録装置。
【請求項７】  前記計数手段は、
前記ホストからの記録データに基いた記録に関連したインク消費を計数する第１計数手段と、
前記記録に関連しないインク消費を計数する第２計数手段とを有することを特徴とする請求項１に記載の記録装置。
【請求項８】  前記判別手段による判別結果が得られた時点以降に前記第１或いは第２計数手段による計数から得られるインク消費を新たに交換されたインクタンクからのインク消費として累積する累積手段をさらに有することを特徴とする請求項７に記載の記録装置。
【請求項９】  前記記録ヘッドはインクジェット記録ヘッドであり、
前記インクジェット記録ヘッドは熱エネルギーを利用してインクを吐出するために、前記インクに付与する熱エネルギーを発生する電気熱変換素子を有することを特徴とする請求項１乃至８のいずれか１項に記載の記録装置。
【請求項１０】  ホストから受信される記録データに基いて、交換可能なインクタンクから供給されるインクを記録ヘッドから吐出して記録媒体に記録を行なう記録装置であって、
インクの消費量情報を格納する記憶手段と、
前記インクの消費を計数する計数手段と、
前記計数手段によって計数されたインク消費量によって前記記憶手段に格納されたインクの消費量情報を更新する更新手段と、
前記インクタンクの交換が発生した可能性があることを判別する判別手段と、
前記判別手段による判別結果を前記ホストに通知する通知手段と、
前記ホストから前記インクタンクの交換により新たに交換されたインクタンクに格納されるインク量の情報を受信する受信手段と、
前記受信手段によって受信されたインク量の情報に基いて、前記更新手段によって得られているインク消費量情報を変更する変更手段とを有することを特徴とする記録装置。
【請求項１１】  ホストから受信される記録データに基いて、交換可能なインクタンクから供給されるインクを記録ヘッドから吐出して記録媒体に記録を行なう記録装置であって、
インクの消費量情報を格納する記憶手段と、
前記インクの消費を計数する計数手段と、
前記計数手段によって計数されたインク消費量によって前記記憶手段に格納されたインクの消費量情報を更新する更新手段と、
前記インクタンクの交換が発生したことを判別する判別手段と、
前記判別手段による判別結果に基いて、所定のインクの消費量情報によって、  前記更新手段によって得られているインク消費量情報を変更する変更手段とを有することを特徴とする記録装置。
【請求項１２】  ホストから受信される記録データに基いて、交換可能なインクタンクから供給されるインクを記録ヘッドから吐出して記録媒体に記録を行なう記録装置のインク消費量管理方法であって、
インクの消費量情報を記憶媒体に格納する記憶工程と、
前記インクの消費を計数する計数工程と、
前記計数工程において計数されたインク消費量によって前記記憶媒体に格納されたインクの消費量情報を更新する更新工程と、
前記インクタンクの交換が発生したことを判別する判別工程と、
前記判別工程における判別時点におけるインクの消費量情報を第１の消費量情報として前記記憶媒体に格納するよう制御する記憶制御工程と、
前記判別工程における判別結果を前記ホストに通知する通知工程と、
前記通知工程における通知の結果として、前記ホストから前記インクタンクの交換により新たに交換されたインクタンクに格納されるインク量の情報を受信する受信工程と、
前記受信工程による受信時点における前記更新工程での更新されたインク消費量情報と、前記記憶媒体に格納された前記第１の消費量情報と、前記受信工程において受信されたインク量の情報とに基いて、前記更新工程において得られているインク消費量情報を変更する変更工程とを有することを特徴とするインク消費量管理方法。
【請求項１３】  ホストから受信される記録データに基いて、交換可能なインクタンクから供給されるインクを記録ヘッドから吐出して記録媒体に記録を行なう記録装置のインク消費量管理方法であって、
インクの消費量情報を記憶媒体に格納する記憶工程と、
前記インクの消費を計数する計数工程と、
前記計数工程において計数されたインク消費量によって前記記憶媒体に格納されたインクの消費量情報を更新する更新工程と、
前記インクタンクの交換が発生した可能性があることを判別する判別工程と、
前記判別工程による判別結果を前記ホストに通知する通知工程と、
前記通知工程による通知の結果として、前記ホストから前記インクタンクの交換により新たに交換されたインクタンクに格納されるインク量の情報を受信する受信工程と、
前記受信工程において受信されたインク量の情報に基いて、前記更新工程によって得られているインク消費量情報を変更する変更工程とを有することを特徴とするインク消費量管理方法。
【請求項１４】  ホストから受信される記録データに基いて、交換可能なインクタンクから供給されるインクを記録ヘッドから吐出して記録媒体に記録を行なう記録装置のインク消費量管理方法であって、
インクの消費量情報を記憶媒体に格納する記憶工程と、
前記インクの消費を計数する計数工程と、
前記計数工程において計数されたインク消費量によって前記記憶媒体に格納されたインクの消費量情報を更新する更新工程と、
前記インクタンクの交換が発生したことを判別する判別工程と、
前記判別工程における判別結果に基いて、所定のインクの消費量情報によって、前記更新工程において得られているインク消費量情報を変更する変更工程とを有することを特徴とするインク消費量管理方法。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２２
【補正方法】変更
【補正の内容】
【００２２】
さて、前記計数手段は、前記ホストからの記録データに基いた記録に関連したインク消費を計数する第１計数手段と、前記記録に関連しないインク消費を計数する第２計数手段とを有していることが望ましく、
さらに、前記判別手段による判別結果が得られた時点以降に前記第１或いは第２計数手段による計数から得られるインク消費を新たに交換されたインクタンクからのインク消費として累積する累積手段とを有していることが望ましい。